(57)【特許請求の範囲】
【請求項１】
ユーザ端末（ＵＥ）の装置であって、
現在の地上波公共移動通信ネットワーク（ＰＬＭＮ）から受信されるとともに、前記現在のＰＬＭＮと等価な等価ＰＬＭＮのリストを含む第１の情報要素（ＩＥ）を復号し、
前記現在のＰＬＭＮに対してセッション管理プロシージャのためのリクエストを生成し、
前記現在のＰＬＭＮから受信されるとともに、前記のリクエストされたセッション管理プロシージャに関する拒否メッセージを処理し、
前記現在のＰＬＭＮから受信されるとともに、前記等価ＰＬＭＮのリスト内の等価なＰＬＭＮに対して前記セッション管理プロシージャのための前記リクエストを前記ＵＥが再試行できるかどうかを示す第２のＩＥを復号するベースバンド処理回路と、
前記等価ＰＬＭＮのリストをメモリ内に記憶するメモリとを備える、装置。
【請求項２】
前記セッション管理プロシージャのリクエストが、パケットデータプロトコル（ＰＤＰ）コンテキストリクエストメッセージ“ＰＤＰコンテキスト起動リクエスト”を含む、請求項１に記載の装置。
【請求項３】
前記拒否メッセージが、パケットデータプロトコル（ＰＤＰ）コンテキスト拒否メッセージ“ＰＤＰコンテキスト起動拒否”を含む、請求項１に記載の装置。
【請求項４】
前記ＰＤＰコンテキスト拒否メッセージが、ＰＤＰタイプＩＰｖ４のみ受諾されるか、ＰＤＰタイプＩＰｖ６のみ受諾されるか、又はリクエストされたアクセスポイントネーム（ＡＰＮ）は現在の無線アクセス技術（ＲＡＴ）及びＰＬＭＮの組み合わせではサポートされていない、ことを示す、請求項３に記載の装置。
【請求項５】
前記ＵＥが、タイマーが満了するまで、等価なＰＬＭＮに対して前記セッション管理プロシージャのための前記リクエストを更に再試行しないことになる、請求項１に記載の装置。
【請求項６】
前記等価ＰＬＭＮのリスト内の等価なＰＬＭＮが、ＰＬＭＮ選択、セル選択、セル再選択、若しくはハンドオーバー、又はそれらの組み合わせのうちの少なくとも１つに関して、前記現在のＰＬＭＮと等価である、請求項１に記載の装置。
【請求項７】
前記現在のＰＬＭＮから前記第１のＩＥ若しくは前記第２のＩＥを受信するか、又は前記現在のＰＬＭＮに対して前記セッション管理プロシージャのための前記リクエストを送信するか、又はそれらの組み合わせである無線周波数（ＲＦ）送受信機を更に備える、請求項１に記載の装置。
【請求項８】
進化型ＮｏｄｅＢ（ｅＮＢ）の装置であって、
ユーザ端末（ＵＥ）に対して送信されるとともに、前記ｅＮＢの現在の地上波公共移動通信ネットワーク（ＰＬＭＮ）と等価な等価ＰＬＭＮのリストを含む第１の情報要素（ＩＥ）を符号化し、
前記ＵＥからの、セッション管理プロシージャのためのリクエストを処理し、
前記ＵＥに対して前記のリクエストされたセッション管理プロシージャに関する拒否メッセージを生成し、
前記ＵＥに対して送信されるとともに、前記等価ＰＬＭＮのリスト内の等価なＰＬＭＮに対して前記セッション管理プロシージャのための前記リクエストを前記ＵＥが再試行できるかどうかを示す第２のＩＥを符号化するベースバンド処理回路と、
前記第１のＩＥ若しくは前記第２のＩＥ、又はそれらの組み合わせを前記ＵＥに送信する無線周波数（ＲＦ）送受信機とを備える、装置。
【請求項９】
前記セッション管理プロシージャのリクエストが、パケットデータプロトコル（ＰＤＰ）コンテキストリクエストメッセージ“ＰＤＰコンテキスト起動リクエスト”を含む、請求項８に記載の装置。
【請求項１０】
前記拒否メッセージが、パケットデータプロトコル（ＰＤＰ）コンテキスト拒否メッセージ“ＰＤＰコンテキスト起動拒否”を含む、請求項８に記載の装置。
【請求項１１】
前記ＰＤＰコンテキスト拒否メッセージが、ＰＤＰタイプＩＰｖ４のみ受諾されるか、ＰＤＰタイプＩＰｖ６のみ受諾されるか、又はリクエストされたアクセスポイントネーム（ＡＰＮ）は現在の無線アクセス技術（ＲＡＴ）及びＰＬＭＮの組み合わせではサポートされていない、ことを示す、請求項１０に記載の装置。
【請求項１２】
前記拒否メッセージが、前記ＵＥが、タイマーが満了するまで、等価なＰＬＭＮに対して前記セッション管理プロシージャのための前記リクエストを更に再試行しないことになる、ことを示す、請求項８に記載の装置。
【請求項１３】
前記等価ＰＬＭＮのリスト内の等価なＰＬＭＮが、ＰＬＭＮ選択、セル選択、セル再選択、若しくはハンドオーバー、又はそれらの組み合わせのうちの少なくとも１つに関して、前記現在のＰＬＭＮと等価である、請求項８に記載の装置。
【請求項１４】
前記ＲＦ送受信機が、前記ＵＥから前記セッション管理プロシージャのための前記リクエストを受信することになる、請求項８に記載の装置。
【請求項１５】
命令を有する１つ又は複数のコンピュータプログラムであって、前記命令が、ユーザ端末（ＵＥ）により実行された場合に、
現在の地上波公共移動通信ネットワーク（ＰＬＭＮ）から受信されるとともに、前記現在のＰＬＭＮと等価な等価ＰＬＭＮのリストを含む第１の情報要素（ＩＥ）を復号することと、
前記等価ＰＬＭＮのリストをメモリ内に記憶することと、
前記現在のＰＬＭＮに対してセッション管理プロシージャのためのリクエストを生成することと、
前記現在のＰＬＭＮから受信されるとともに、前記のリクエストされたセッション管理プロシージャに関する拒否メッセージを処理することと、
前記現在のＰＬＭＮから受信されるとともに、前記等価ＰＬＭＮのリスト内の等価なＰＬＭＮに対して前記セッション管理プロシージャのための前記リクエストを前記ＵＥが再試行できるかどうかを示す第２のＩＥを復号することとを含む動作をもたらす、１つ又は複数のコンピュータプログラム。
【請求項１６】
前記セッション管理プロシージャのリクエストが、パケットデータプロトコル（ＰＤＰ）コンテキストリクエストメッセージ“ＰＤＰコンテキスト起動リクエスト”を含む、請求項１５に記載の１つ又は複数のコンピュータプログラム。
【請求項１７】
前記拒否メッセージが、パケットデータプロトコル（ＰＤＰ）コンテキスト拒否メッセージ“ＰＤＰコンテキスト起動拒否”を含む、請求項１５に記載の１つ又は複数のコンピュータプログラム。
【請求項１８】
前記ＰＤＰコンテキスト拒否メッセージが、ＰＤＰタイプＩＰｖ４のみ受諾されるか、ＰＤＰタイプＩＰｖ６のみ受諾されるか、又はリクエストされたアクセスポイントネーム（ＡＰＮ）は現在の無線アクセス技術（ＲＡＴ）及びＰＬＭＮの組み合わせではサポートされていない、ことを示す、請求項１７に記載の１つ又は複数のコンピュータプログラム。
【請求項１９】
前記ＵＥが、タイマーが満了するまで、等価なＰＬＭＮに対して前記セッション管理プロシージャのための前記リクエストを更に再試行しないことになる、請求項１５に記載の１つ又は複数のコンピュータプログラム。
【請求項２０】
前記等価ＰＬＭＮのリスト内の等価なＰＬＭＮが、ＰＬＭＮ選択、セル選択、セル再選択、若しくはハンドオーバー、又はそれらの組み合わせのうちの少なくとも１つに関して、前記現在のＰＬＭＮと等価である、請求項１５に記載の１つ又は複数のコンピュータプログラム。
【請求項２１】
前記現在のＰＬＭＮから前記第１のＩＥ若しくは前記第２のＩＥを受信するための、又は前記現在のＰＬＭＮに対して前記セッション管理プロシージャのための前記リクエストを送信するための、又はそれらの組み合わせである方法を更に含む、請求項１５に記載の１つ又は複数のコンピュータプログラム。
【請求項２２】
命令を有する１つ又は複数のコンピュータプログラムであって、前記命令が、進化型ＮｏｄｅＢ（ｅＮＢ）により実行された場合に、
ユーザ端末（ＵＥ）に対して送信されるとともに、前記ｅＮＢの現在の地上波公共移動通信ネットワーク（ＰＬＭＮ）と等価な等価ＰＬＭＮのリストを含む第１の情報要素（ＩＥ）を符号化することと、
前記ＵＥからの、セッション管理プロシージャのためのリクエストを処理することと、
前記ＵＥに対して前記のリクエストされたセッション管理プロシージャに関する拒否メッセージを生成することと、
前記ＵＥに対して送信されるとともに、前記等価ＰＬＭＮのリスト内の等価なＰＬＭＮに対して前記セッション管理プロシージャのための前記リクエストを前記ＵＥが再試行できるかどうかを示す第２のＩＥを符号化することとを含む動作をもたらす、１つ又は複数のコンピュータプログラム。
【請求項２３】
前記セッション管理プロシージャのリクエストが、パケットデータプロトコル（ＰＤＰ）コンテキストリクエストメッセージ“ＰＤＰコンテキスト起動リクエスト”を含む、請求項２２に記載の１つ又は複数のコンピュータプログラム。
【請求項２４】
前記拒否メッセージが、パケットデータプロトコル（ＰＤＰ）コンテキスト拒否メッセージ“ＰＤＰコンテキスト起動拒否”を含む、請求項２２に記載の１つ又は複数のコンピュータプログラム。
【請求項２５】
前記ＰＤＰコンテキスト拒否メッセージが、ＰＤＰタイプＩＰｖ４のみ受諾されるか、ＰＤＰタイプＩＰｖ６のみ受諾されるか、又はリクエストされたアクセスポイントネーム（ＡＰＮ）は現在の無線アクセス技術（ＲＡＴ）及びＰＬＭＮの組み合わせではサポートされていない、ことを示す、請求項２４に記載の１つ又は複数のコンピュータプログラム。
【請求項２６】
請求項１５から請求項２５のいずれか一項に記載の１つ又は複数のコンピュータプログラムを記憶したコンピュータ読み取り可能な記憶媒体。
【発明の詳細な説明】
【背景技術】
【０００１】
本願は、２０１４年６月３０日に出願された米国仮特許出願第６２／０１９，２９５号の利益、２０１４年７月２１日に出願された米国仮特許出願第６２／０２７，１１２号の利益、および２０１４年８月１３日に出願された米国仮特許出願第６２／０３６，９５７号の利益を主張するものである。これにより、前記出願第６２／０１９，２９５号、前記出願第６２／０２７，１１２号、および前記出願第６２／０３６，９５７号は、参照によりそれらの全体において本明細書に組み込まれている。
【０００２】
ユーザ端末（ＵＥ）のようなモバイルデバイスは、所定の地理的位置で利用可能な地上波公共移動通信ネットワーク（ＰＬＭＮ）のような１つまたは複数のネットワーク間で切り替えを行うことができるか、または１つの地理的位置から別の地理的位置まで移動する際に新しいネットワークに切り替えることができる。ＵＥは、新しいネットワークに登録すると、サービスを利用するために、ＵＥが希望するサービスを利用したいとのリクエストをそのネットワークに送信することができる。一般に、ネットワークがＵＥからの１つまたは複数のリクエストを拒否するということが起こりうるので、ＵＥが別のＰＬＭＮに登録するまで、または多くの他のイベントのうちの１つが発生するまで、ＵＥが同じリクエストを送信すべきでないという必須要件がある。他のイベントは、ＵＥの電源オフ／オン、汎用加入者識別モジュール（ＳＩＭ／ＵＳＩＭ）の取り外し、または拒否メッセージがＵＥによって受信されたときに開始されたタイマーの終了を含むことができるが、これらに限定されない。しかし、一部の例では、例えば、いくつかのネットワーク構成では、ＵＥが等価ＰＬＭＮのリスト内に無い別のＰＬＭＮに登録した後にのみ同じリスエストを送信することができるのは理にかなっているが、別の場合には、ＵＥは、拒否メッセージを送信するネットワークに等価なＰＬＭＮであるか否かに関係なく、任意の他のＰＬＭＮに登録した後に同じリクエストを送信できる必要がある。現在のＮＡＳ（Ｎｏｎ−Ａｃｃｅｓｓ  Ｓｔｒａｔｕｍ）プロトコルは、ＵＥが上述の条件付き再リクエストを適用できるか否かを指示できる柔軟性をネットワークに提供するものではない。一般に、全てのネットワーク構成は、現在指定されているＵＥ挙動とは異なるＵＥ挙動が適切であっても、同一のＵＥ挙動を受け入れなければならない。さらなるＵＥアクセスの試みやリクエストの反復は、所定の機能もしくはサービスが等価ＰＬＭＮのどの場所においてもサポートされていない場合には、不必要な追加の信号伝達をもたらす可能性がある。一方、新しいＰＬＭＮは以前のＰＬＭＮと異なる形で構成されるので、新しいＰＬＭＮが機能もしくはサービスをサポートすることができても、ＵＥは、等価ＰＬＭＮへの登録後に、機能もしくはサービスのリクエストを再試行することはできない。現在のところ、さまざまな拒否のケースに関して、ＵＥからのサービスの再リクエストに柔軟に対処することはできない。典型的には、１つの挙動もしくはルールのみが唯一の可能なＵＥ実装として指定され、全てのネットワークオペレータはこのＵＥ挙動を受け入れなければならない。場合によっては、所定のＵＥ挙動を指定することにより、ネットワークオペレータは、全ての等価ＰＬＭＮの中でサービスもしくは機能のデプロイメントを調整することができ、そうしなければ、いくつかのＰＬＭＮが他のＰＬＭＮより前に提供することができる機能もしくはサービスの展開が遅れる可能性がある。
【０００３】
請求される主題は、特に、明細書の終わりの部分で指摘され、明確に請求されている。しかし、この主題は、添付図面と併せて読まれたときに、下記の詳細な説明を参照することで理解されるであろう。
【図面の簡単な説明】
【０００４】
【図１】１つまたは複数の実施形態に従った、ユーザ端末が第１の地上波公共移動通信ネットワーク（ＰＬＭＮ）から第２の地上波公共移動通信ネットワーク（ＰＬＭＮ）に接続を変更することができるネットワークシステムの図である。
【図２】１つまたは複数の実施形態に従った、ＧＳＭ（登録商標）・ＥＤＧＥ・無線アクセスネットワーク（Global  System  for  Mobile  Communications  (GSM(登録商標))  Enhanced  Data  Rates  for  GSM(登録商標)  Evolution  (EDGE)  Radio  Access  Network：ＧＥＲＡＮ）もしくはユニバーサル地上無線アクセスネットワーク（ＵＴＲＡＮ）を介した、ユーザ端末とサービング汎用パケット無線サービスサポートノード（serving  general  packet  radio  service  support  node：ＳＧＳＮ）との間のネットワーク内でのメッセージフローの図である。
【図３】１つまたは複数の実施形態に従った、スコープインジケータ情報要素を示した図である。
【図４】１つまたは複数の実施形態に従った、代替スコープインジケータ情報要素を示した図である。
【図５】１つまたは複数の実施形態に従った、スコープインジケータマトリクス情報要素を示した図である。
【図６】１つまたは複数の実施形態に従った、図５に示されているスコープインジケータマトリクスを利用することができるネットワークシステムを示した図である。
【図７】１つまたは複数の実施形態に従った、図５に示されているスコープインジケータマトリクスを利用することができるネットワークにおけるメッセージフローを示した図である。
【図８】１つまたは複数の実施形態に従った、ネットワーク内でのリクエストの反復を防ぐことができる情報処理システムのブロック図である。
【図９】１つまたは複数の実施形態に従った、任意でタッチスクリーンを含むことができる図８の情報処理システムの等角図である。
【発明を実施するための形態】
【０００５】
図を単純および／または明確にするために、図示されている要素は必ずしも縮尺通りに描かれていないことを理解できるであろう。例えば、明確にするために、要素のうちのいくつかの要素の寸法は、他の要素に対して誇張されてよい。さらに、適切であると考えられる場合には、参照番号は、対応する要素および／または類似した要素を示すのに、図面全体を通して繰り返し使用されている。
【０００６】
下記の詳細な説明において、請求される主題を十分に理解するために、多数の具体的詳細が示されている。しかし、当業者は、請求される主題はこれらの具体的詳細が無くても実施可能であることを理解するであろう。他の例については、周知の方法、プロシージャ、コンポーネント、および／または回路は詳細に説明されていない。
【０００７】
下記の説明および／または請求項において、「結合される」および／または「接続される」という用語は、その派生語と共に使用されてよい。特定の実施形態において、「接続される」は、２つ以上の要素が直接物理的および／または電気的に互いに接触した状態を示すのに使用されてよい。「結合される」は、２つ以上の要素が直接物理的および／または電気的に接触した状態であるということを意味する場合がある。しかし、「結合される」は、２つ以上の要素が互いに直接接触した状態ではなく、さらに互いに共働および／または相互作用することができるということを意味する場合もある。例えば、「結合される」は、２つ以上の要素が互いに接触しないが、別の要素もしくは中間要素を介して間接的に接合されるということを意味する場合がある。最後に、用語「〜上に」、「〜を覆って」、および「〜より上に」は、下記の説明および請求項で使用される場合がある。「〜上に」、「〜を覆って」、および「〜より上に」は、２つ以上の要素が互いに直接物理的に接触した状態を示すのに使用される場合がある。しかし、「〜より上に」は、２つ以上の要素が互いに直接接触していないということを意味する場合もある。例えば、「〜より上に」は、１つの要素が別の要素の上にあるが、互いに接触せず、２つの要素間に別の要素（単数または複数）を有してよいということを意味する場合がある。さらに、用語「および／または」は、「および」を意味する場合、「または」を意味する場合、「排他的論理和」を意味する場合、「１つ」を意味する場合、「いくつかであるが、全てではない」を意味する場合、「どちらも〜でない」を意味する場合、ならびに／もしくは「両方」を意味する場合があるが、この点に関して、請求される主題の範囲は限定されない。下記の説明および／または請求項において、用語「備える」および「含む」は、その派生語と共に、同義語として使用されてよい。
【０００８】
図１を参照しながら、１つまたは複数の実施形態に従った、ユーザ端末が第１の地上波公共移動通信ネットワーク（ＰＬＭＮ）から第２の地上波公共移動通信ネットワーク（ＰＬＭＮ）に接続を変更することができるネットワークシステムの図について説明する。図１に示されているように、ネットワークシステム１００は、第１の地上波公共移動通信ネットワーク（ＰＬＭＮ１）を備えた第１のネットワーク１１２と通信し、第１のネットワーク１１２からサービスを受信しているユーザ端末（ＵＥ）１１０を備えてよい。ある時点で、ＵＥ１１０は、第２の地上波公共移動通信ネットワーク（ＰＬＭＮ２）を備えた第２のネットワーク１１４との通信サービスの受信に切り替えなければならない場合がある。ＵＥ１１０が第１のネットワーク１１２から第２のネットワーク１１４に切り替えると、ＵＥ１１０は第２のネットワーク１１４に特定のタイプのサービスのリクエストを送信してよい。例えば、ＵＥ１１０はネットワーク１１４に回線交換（ＣＳ）コールバックプロシージャを利用することを要求してよい。回線交換（ＣＳ）コールバックプロシージャでは、ＵＥ１１０はＣＳ方式の音声サービス、さらにパケット交換（ＰＳ）サービス、さらにＬＴＥ（Long  Term  Evolution）アクセスを利用することができる。ネットワーク１１４が要求されたサービスをＵＥ１１０に提供できない場合、ＵＥ１１０は続けてこのリクエストをネットワーク１１４に繰り返し送信することはできない。
【０００９】
本明細書に示されている実施形態は、ＵＥ１１０がネットワーク１１４のようなモバイルネットワークに対してリクエストを繰り返し送信するのを防ぐこと、および一定の条件が満たされた場合に、リクエストを繰り返し送信することができることをＵＥ１１０に指示することを目的としている。１つまたは複数の実施形態では、ネットワーク１１２とＵＥ１１０との間の信号伝達は、ネットワーク１１４のような新しいネットワークに切り替えるときに一定の条件が該当する場合に、ネットワーク１１２がＵＥ１１０に特定の機能もしくはサービスを再要求することができるか否かを明確に指示することができるように強化されてよい。その結果、ネットワーク１１２がＵＥ１１０からの特定の機能もしくはサービスに対するリクエストを拒否した場合、ネットワーク１１２は、ネットワーク１１４のようなＵＥ１１０に周知の等価ＰＬＭＮに対して拒否理由が有効であるか否かをＵＥ１１０に指示する。本明細書に示されている１つまたは複数の実施形態において、１つまたは複数のＰＬＭＮは第１のＰＬＭＮと等価なＰＬＭＮと見なされてよく、等価ＰＬＭＮは、ＰＬＭＮ選択、セル選択、セル再選択、もしくはハンドオーバーのうちの少なくとも１つの目的、もしくはこれらを組み合わせた目的に関して、第１のＰＬＭＮと等価であることに留意されたい。さらに、１つまたは複数のＰＬＭＮは、第１のＰＬＭＮによってサポートされている機能もしくはサービスが１つまたは複数の他のＰＬＭＮによってもサポートされている場合、または第１のＰＬＭＮによってサポートされていない機能もしくはサービスが１つまたは複数の他のＰＬＭＮによってもサポートされていない場合に、第１のＰＬＭＮと等価であると見なされてよい。１つまたは複数の実施形態では、ネットワークシステム１００、ネットワーク１１２、および／またはネットワーク１１４は、第３世代パートナーシッププロジェクト（３ＧＰＰ）標準規格に準拠して動作してよく、等価ＰＬＭＮの概念は、３ＧＰＰ標準規格で規定された等価ＰＬＭＮのことを指してよい。したがって、１つまたは複数の実施形態では、当業者は、第２のＰＬＭＮがどのような形で第１のＰＬＭＮと等価であるかを理解するために、３ＧＰＰ標準規格を参照してよい。しかし、これらは１つまたは複数のＰＬＭＮがどのように第１のＰＬＭＮと等価であると見なされるかの実例に過ぎず、これらの点に関して、請求される主題の範囲は限定されないことに留意されたい。
【００１０】
１つまたは複数の実施形態において、ネットワーク１１４は、特定の機能およびサービスのサポートの有無に関して、ネットワーク１１２と等価ＰＬＭＮであると見なされてよい。例えば、等価ＰＬＭＮについて、１つのネットワークオペレータが異なるネットワーク識別子（ＩＤ）を有するアクセスネットワークからのアクセスを受諾するケースに対処することが可能になる場合がある。また、一群のＰＬＭＮが、ＰＬＭＮ選択、セル選択および再選択、ならびにハンドオーバーに関して登録ＰＬＭＮと等価であるということをＵＥ１１０に指示することも可能になる場合がある。
【００１１】
ネットワーク１１２は、ＵＥ１１０が特定のＰＬＭＮを等価ＰＬＭＮとして処理するロケーション更新、アタッチ、ルーティングエリア更新、もしくはトラッキングエリア更新のプロシージャの際に、ＵＥ１１０に信号伝達することができる。この情報を示すために、ネットワーク１１２は、「ロケーション更新受諾」、「アタッチ受諾」、「ルーティングエリア更新受諾」、もしくは「トラッキングエリア更新受諾」のメッセージ内で、等価ＰＬＭＮのＰＬＭＮ識別子のリストを情報要素（ＩＥ）に提供してよい。例えば、モバイルサービスオペレータのアクセスネットワーク１１２は、進化型ユニバーサル地上無線アクセスネットワーク（Evolved  Universal  Terrestrial  Radio  Access  Network：Ｅ−ＵＴＲＡＮ）のような特定の無線アクセス技術のみに対して提供されてよいか、または人口密集地域のように制限された地理的範囲のみに提供されてよい。ネットワーク１１４のような１つまたは複数の他のネットワークがネットワーク１１２と等価ＰＬＭＮであることを示すことによって、あるオペレータのアクセスネットワーク１１２が、同一もしくは隣接した地理的エリア内の別のオペレータのアクセスネットワークと結合されてよく、その結果、結合された等価ネットワークは、追加のアクセス技術をサポートするか、またはさらに広範囲のエリアを対象範囲とすることができる。
【００１２】
１つまたは複数の実施形態では、等価ＰＬＭＮの概念は、異なる方法で異なるモバイルネットワークオペレータによって利用されてよい。例えば、規制機関からのユニバーサル地上無線アクセスネットワーク（Universal  Terrestrial  Radio  Access  Network：ＵＴＲＡＮ）もしくは進化型ＵＴＲＡＮ（Ｅ−ＵＴＲＡＮ）操作のライセンスを持たないオペレータは、それらのレガシーネットワーク、例えばネットワーク１１２を、ネットワーク１１４の別のオペレータによってデプロイされているＵＴＲＡＮもしくはＥ−ＵＴＲＡＮネットワークと結合し、そのことによって自身の加入者に対しても、より高速のデータレートを提供することができる。別の例では、オペレータは、隣接国に系列会社（subsidiary）を有してよい。該オペレータは、等価ＰＬＭＮの概念を使用して、オペレータが操作している２か国間の国境をＵＥ１１０が越えるときに、ＵＥ１１０が別のＰＬＭＮを選択せずに系列会社のＰＬＭＮを選択するためにネットワーク１１２からネットワーク１１４に切り替えることができるようにしてよい。さらに空港などの別の例では、オペレータは、ネットワーク１１２経由でＵＥ１１０に等価ＰＬＭＮのリストを送信して、１つまたは複数の目的国における好適なローミングパートナーのリストをＵＥ１１０に提供してよい。加入者が国際線で目的国に到着した後でＵＥ１１０の電源をオンにすると、目的国におけるＰＬＭＮの１つは、ネットワーク１１４のような等価ＰＬＭＮとして加入者のＵＥにすでに記憶されていてよい。この場合、ＵＥ１１０は、その等価ＰＬＭＮリスト上のＰＬＭＮの方を優先して、ネットワーク１１４と接続することによって、そのＰＬＭＮを選択してよい。
【００１３】
場合によっては、異なるアクセスネットワークのオペレータがどの程度密接に協調しているかに応じて、オペレータが異なるアクセスネットワーク経由で自身の加入者に対して同じセットの機能およびサービスを提供することが可能になる場合がある。一方、特定の機能もしくはサービスが全ての異なるアクセスネットワークによるサポートが不可能であり、ＵＥ１１０が頻繁に１つのアクセスネットワーク１１２から別のアクセスネットワーク１１４に移り変わっている場合、ユーザ体験が不十分になる可能性があり、結合されたネットワーク全体における個々の機能もしくはサービスのサポートを無効にする方が良い場合もある。広くサポートされていない機能のサポートを無効にする一例として、回線交換（ＣＳ）フォールバックプロシージャがある。ＵＥ１１０がネットワーク１１２と共にＣＳフォールバックを使用するように構成され、その後、訪問ＰＬＭＮ（ＶＰＬＭＮ）として機能する新しいネットワーク１１４のＥ−ＵＴＲＡＮに登録するが、ネットワーク１１４がＣＳフォールバックをサポートしていない場合、ＵＥ１１０のデフォルト挙動は、ＶＰＬＭＮにおいて、もしくはＶＰＬＭＮと等価なＰＬＭＮにおいて、ＧＳＭ（登録商標）・ＥＤＧＥ・無線アクセスネットワーク（Global  System  for  Mobile  Communications  (GSM(登録商標))  Enhanced  Data  Rates  for  GSM(登録商標)  Evolution  (EDGE)  Radio  Access  Network：ＧＥＲＡＮ）、ユニバーサル地上無線アクセスネットワーク（ＵＴＲＡＮ）、もしくはシングルキャリア無線伝送技術（Single-Carrier  Radio  Transmission  Technology：１ｘＲＴＴ）の回線交換（ＣＳ）無線アクセス技術を選択するように試みてよい。この場合、ＵＥ１１０のデフォルト挙動は、ＵＥ１１０がＶＰＬＭＮとしてもしくはＶＰＬＭＮと等価なＰＬＭＮでネットワーク１１４との接続状態を維持している間、自律的にＥ−ＵＴＲＡＮを選択もしくは再選択しようと試みることはできない。場合によっては、デフォルト挙動は、ユーザの好みの設定に基づいて変更されてよい。
【００１４】
このようなＵＥ１１０のデフォルト挙動は、例えば、ＰＬＭＮ  ＩＤ１を有するＧＥＲＡＮおよびＰＬＭＮ  ＩＤ２を有するＵＴＲＡＮならびにＥ−ＵＴＲＡＮが同じ地理的エリアにサービスを提供している場合に正当化されるので、２つのＰＬＭＮ  ＩＤは等価になるように信号伝達され、Ｅ−ＵＴＲＡＮはＣＳフォールバックをサポートしない。このような場合、ＵＥ１１０が頻繁にＧＥＲＡＮからＵＴＲＡＮに移り変わり、またＵＴＲＡＮからＧＥＲＡＮに戻すことを繰り返す場合、ユーザ体験はさらにＥ−ＵＴＲＡＮを選択しようと試みるのを避ける方が良い場合がある。それは、ＵＥ１１０がＥ−ＵＴＲＡＮ経由で登録しようとする度に、ＣＳフォールバックがサポートされず、再びＧＥＲＡＮもしくはＵＴＲＡＮを選択することになるからである。すなわち、Ｅ−ＵＴＲＡＮを再選択しようと試みることにより、トラッキングエリア更新の信号伝達のために不必要にバッテリが消耗されるだけであり、ＵＥ１１０がモバイル終了ページングに対して応答できない短い時間が頻繁に生じることになる。別の状況において、ＣＳフォールバックは、国境の反対側にある系列会社のオペレータの、等価ＰＬＭＮ、ＰＬＭＮ２ではなく、加入者の自宅のＰＬＭＮ（ＨＰＬＭＮ）、ＰＬＭＮ１でサポートされる場合がある。このような場合、ＣＳフォールバックがサポートされていないＰＬＭＮ２でＵＥ１１０が検出された時点で、ＵＥ１１０はＨＰＬＭＮ、ＰＬＭＮ１に戻った後でもＥ−ＵＴＲＡＮを再選択しないというリスクが発生する可能性がある。
【００１５】
別の例は、デフォルトＰＤＰコンテキストの起動および対応するＰＤＮ接続の確立のためのセッション管理プロシージャである。この場合、ネットワークは、
ナンバー５０”ＰＤＰタイプＩＰｖ４のみ受諾”
ナンバー５１”ＰＤＰタイプＩＰｖ６のみ受諾”、または
ナンバー６６”要求されたＡＰＮは現在のＲＡＴおよびＰＬＭＮの組み合わせではサポートされていない”
と示したセッション管理原因（session  management  cause：ＳＭ原因）によって起動リクエストを拒否する可能性があり、ＵＥ１１０は、ナンバー５０もしくはナンバー５１が受信された場合に、同じＰＤＰタイプを使用した同じアクセスポイントネーム（ＡＰＮ）に対して、またはナンバー６６が受信された場合に、Ａ／ＧｂモードもしくはＩｕモードの同じＡＰＮに対して、等価ＰＬＭＮリスト内に無い新しいＰＬＭＮが選択されるまで、別の「ＰＤＰコンテキスト起動リクエスト」メッセージを自動的に送信すべきでない。この場合、例えば、ネットワークが同じコアネットワークから常にＧＧＳＮもしくはＰＤＮ−ＧＷを選択しているか、またはアクセスネットワークに応じて異なるＧＧＳＮもしくはＰＤＮ−ＧＷが選択されているか次第で、等価ＰＬＭＮ内で開始される起動リクエストは成功する場合もあれば、成功しない場合もある。しかし、等価ＰＬＭＮ内での起動が成功した場合、ＵＥ１１０が第１のＰＬＭＮに再び移り変わった後に、このＰＤＰコンテキストもしくはＰＤＮ接続が維持できるという保証は無いことに留意されたい。さらに別の情報が無いために、ＵＥ１１０は、等価ＰＬＭＮ内でＰＤＰコンテキスト起動を再び試みる価値があるのか否かを予め知ることができない。
【００１６】
本明細書でさらに説明されている１つまたは複数の実施形態では、ＵＥ１１０がサービスもしくは機能を要求するのを可能にする基本原理は、他のタイプのモビリティイベントを考慮に入れることによってさらに拡張される場合がある。例えば、ＵＥ１１０は、インターラット（ｉｎｔｅｒ−ＲＡＴ）変更後、またはＧＥＲＡＮとＵＴＲＡＮとの間のインターラット変更後ではなくＧＥＲＡＮ／ＵＴＲＡＮとＥ−ＵＴＲＡＮとの間のインターラット変更後、または新しいロケーションエリア、トラッキングエリア、もしくはルーティングエリアに入った後、または新しいセルに入った後に、同じリクエストを送信することができるか、または送信することができない。
【００１７】
１つまたは複数の実施形態では、ネットワーク１１２は、ＵＥ１１０によって要求され、ネットワークによって受諾されたもしくは拒否された機能もしくはサービスに関して、この受諾もしくは拒否が全ての等価ＰＬＭＮに対して適用可能であるのかまたはこの受諾もしくは拒否が全ての等価ＰＬＭＮに対して適用可能でないのかを示した新しい指示をＵＥ１１０に送信することができる。本明細書内で説明されているように、このような受諾もしくは拒否が全ての等価ＰＬＭＮに適用可能であるのか否かの指示は、スコープインジケータと呼ばれる場合がある。スコープインジケータの指示は、後でＵＥ１１０によって要求されネットワーク１１２によって受諾もしくは拒否される任意の機能もしくはサービスに対してＵＥ１１０が適用することができるデフォルトスコープインジケータの形式で、または機能もしくはサービスの特定のリクエストに応答してネットワーク１１２によって提供される特定スコープインジケータの形式で、ネットワーク１１２によって信号伝達されてよい。ネットワーク１１２が両方の形式の指示を提供する場合、特定の機能もしくはサービスに関して、後者の特定スコープインジケータがデフォルトスコープインジケータに優先することになる。デフォルトスコープインジケータが提供されない場合、一実施形態では、ＵＥ１１０は、全ての機能もしくはサービスに対して汎用デフォルト値をとる場合があり、汎用デフォルト値は、対象としている信号伝達プロトコルに対して規定されてよい。デフォルトスコープインジケータが提供されない場合、第２の実施形態では、ＵＥ１１０は、全ての機能もしくはサービスに適用可能な任意の汎用デフォルト値をとらない場合がある。第２の実施形態では、ネットワーク１１２は機能もしくはサービスの特定のリクエストに応答して、スコープインジケータの特定値を提供することができる。ネットワーク１１２が特定値を提供しない場合、ＵＥ１１０は特定の機能もしくはサービスに対してデフォルト値をとる場合があり、デフォルト値は、各々の機能もしくはサービスおよび対象としている信号伝達プロトコルに対して規定されてよい。
【００１８】
例えば、ロケーション更新、アタッチ、ルーティングエリア更新、もしくはトラッキングエリア更新のプロシージャの間に、ネットワーク１１２にリクエストを送信する前、もしくは送信すると同時に、ＵＥ１１０はネットワーク１１２に対して、ＵＥ１１０がスコープインジケータもしくはデフォルトスコープインジケータ、または両方のインジケータを理解することができるか否か、およびネットワーク１１２からの等価ＰＬＭＮ内の機能もしくはサービスの適用に関する指示に反応して生じるＵＥ１１０の新しい挙動をＵＥ１１０がサポートすることができるか否かを示してよい。このようなＵＥ１１０からネットワーク１１２に対する指示は、ネットワーク１１２によって利用されて、等価ＰＬＭＮ内の機能もしくはサービスの適用に関する１つまたは複数の指示の送信を最適化することができる。上述の実施形態もしくはアプローチのいずれかは、本明細書に記載されている他の依存的もしくは非依存的な方法の利用を除外せずに、個々に、もしくは組み合わせて利用されてよい。下記の例は、説明するために、ネットワーク１１２が特定の機能もしくはサービスのリクエストを拒否したときにネットワーク１１２が指示を提供するケースを示したものであるが、この点に関して、請求される主題の範囲は限定されない。
【００１９】
図２を参照しながら、１つまたは複数の実施形態に従った、ＧＳＭ（登録商標）・ＥＤＧＥ・無線アクセスネットワーク（Global  System  for  Mobile  Communications  (GSM(登録商標))  Enhanced  Data  Rates  for  GSM(登録商標)  Evolution  (EDGE)  Radio  Access  Network：ＧＥＲＡＮ）もしくはユニバーサル地上無線アクセスネットワーク（ＵＴＲＡＮ）（ＧＥＲＡＮ／ＵＴＲＡＮ）２０２を介した、ユーザ端末とサービング汎用パケット無線サービスサポートノード（serving  general  packet  radio  service  support  node：ＳＧＳＮ）２０４との間のネットワーク内でのメッセージフローの図について説明する。ＵＥ１１０がルーティングエリア更新プロシージャでなくアタッチプロシージャを実行する場合も、図２に示されているのと同様のメッセージフローがＵＥ１１０およびサービング汎用パケット無線サービス（ＧＲＰＳ）サポートノード（ＳＧＳＮ）２０４に適用可能であることに留意されたい。ＰＤＰ（Packet  Data  Protocol）コンテキスト起動リクエストセッション管理プロシージャは、同様のメッセージフローが、セカンダリＰＤＰコンテキスト起動もしくはＰＤＰコンテキスト変更のような他のセッション管理プロシージャに対して、またはモビリティ管理プロシージャ、例えばＵＴＲＡＮ経由のサービス要求プロシージャに対して適用可能であるという一例である。さらに、同様のメッセージフローは、ＧＥＲＡＮ／ＵＴＲＡＮを介してＵＥとＭＳＣ／ＶＬＲとの間で、またＥ−ＵＴＲＡＮを介してＵＥ１１０とモビリティ管理エンティティ（ＭＭＥ）との間で適用可能である。
【００２０】
図２に示されているメッセージフローは、ＵＥ１１０がまずネットワーク１１２のようなネットワークと接続するときに発生する場合がある。プロシージャ２１０において、ＵＥ１１０は、システム情報ブロードキャスト、およびＵＥ１１０が現在位置しているセルのルーティングエリア識別子（ＲＡＩ）の表示を受信する。任意で、システム情報ブロードキャストはさらに、デフォルトスコープインジケータを含む場合がある。プロシージャ２１２において、ＵＥ１１０は、新しいルーティングエリアもしくは新しいネットワーク１１２に属するセルもしくはネットワーク１１２に入ったことから、またはそれ以外の場合では、ＵＥ１１０が最初にネットワーク１１２に登録したときに、ルーティングエリア更新プロシージャを開始する。任意で、ＵＥ１１０は、「ルーティングエリア更新リクエスト」メッセージ内で、ＵＥ１１０がサポートインジケータ情報要素（Information  Element：ＩＥ）を理解し、例えば、移動局（ＭＳ）ネットワーク機能ＩＥもしくは任意の他の同様に適切なＩＥ内の新しいパラメータ内にそのサポートを示すことによって、対応する新しい挙動をサポートすることを示してよい。プロシージャ２１４において、ネットワーク１１２は、ルーティングエリア更新リクエストを受諾し、ＵＥ１１０に、登録ＰＬＭＮのＰＬＭＮ  ＩＤを含む登録ＲＡＩと、等価ＰＬＭＮのリストとを提供する。１つまたは複数の実施形態によれば、ネットワーク１１２は、任意で、ＵＥ１１０にデフォルトスコープインジケータを提供してよい。ＰＬＭＮがリクエストを拒否し、標準規格でＵＥ１１０は現在のＰＬＭＮ内ではリクエストを繰り返し送信すべきでないと規定している場合、デフォルトスコープインジケータは、その後、デフォルト設定で、ＵＥ１１０が、等価ＰＬＭＮのリスト内に無い別のＰＬＭＮに登録するまで、または拒否メッセージを送信しているネットワークと等価であるか否かに関係なく任意の他のＰＬＭＮに登録するまで、リクエストを繰り返し送信すべきでないかを指示する。例えば、図１に関して上述したように、ネットワーク１１４のＰＬＭＮ２は、ネットワーク１１２のＰＬＭＮ１と等価なＰＬＭＮと見なしてよい。
【００２１】
その後、プロセス２１６において、ＵＥ１１０は、例えば、ＰＤＰタイプのインターネットプロトコルバージョン６（ＩＰｖ６）アドレスを使用して、「ＰＤＰコンテキスト起動リクエスト」プロシージャを開始する。要求されたＡＰＮに対して、ネットワーク１１２は、ＩＰｖ４アドレスのみをサポートしてよく、この場合、ネットワーク１１２は、プロシージャ２１８において、ＳＭ原因ナンバー５０を示す「ＰＤＰコンテキスト起動拒否」メッセージに応答するが、この場合、ＩＰｖ４アドレスのみが使用可能である。ＵＥ１１０は、ＵＥ１１０が等価ＰＬＭＮのリスト内に無い別のＰＬＭＮに登録するまで、ＰＤＰタイプＩＰｖ６アドレスを使用してこのＡＰＮに対するリクエストを繰り返し送信すべきでない。１つまたは複数の実施形態によれば、ネットワーク１１２はさらに、スコープインジケータＩＥ内で、ＵＥ１１０が等価ＰＬＭＮでないＰＬＭＮに登録するまで、または任意の他のＰＬＭＮに登録するまで、ＵＥが同じＰＤＰタイプＩＰｖ６アドレスを使用して同じＡＰＮに対する別のリクエストを送信すべきでないかを明確に指示することができる。プロシージャ２１４においてネットワーク１１２がデフォルトスコープインジケータを提供した場合、ネットワーク１１２は、プロシージャ２１８において、ネットワーク１１２がプロシージャ２１４で信号伝達されたデフォルト値と異なる値を伝達することを希望する場合のみ、スコープインジケータを信号伝達する。場合によっては、ネットワーク１１２は、「受諾」メッセージ内でもＵＥ１１０からのリクエストを拒否することができることに留意されたい。例えば、プロシージャ２２０において、ＵＥ１１０は、ＵＥ１１０がＩＰｖ４アドレスおよびＩＰｖ６アドレス両方の割り当てを要求するＰＤＰタイプＩＰｖ４ｖ６アドレスを使用して、「ＰＤＰコンテキスト起動リクエスト」プロシージャを開始する。要求されたＡＰＮに対して、ネットワーク１１２がＩＰｖ４アドレスのみをサポートしている場合、ネットワーク１１２は、プロシージャ２２２において、ＩＰｖ４アドレスのみが使用可能であり、すなわち、ネットワーク１１２はＩＰｖ４アドレスに対するＵＥ１１０からのリクエストを受諾するというＳＭ原因ナンバー５０を示した「ＰＤＰコンテキスト起動受諾」メッセージで応答し、同じメッセージによって、ネットワーク１１２は、ネットワーク１１２がＩＰｖ６アドレスを割り当てないことをＵＥ１１０に指示する。したがって、ＵＥ１１０は、ＵＥ１１０が等価ＰＬＭＮのリスト内に無い別のＰＬＭＮに登録するまで、ＰＤＰタイプＩＰｖ６アドレスを使用してこのＡＰＮに対するリクエストを繰り返し送信すべきでない。１つまたは複数の実施形態では、ネットワーク１１２はさらに、スコープインジケータＩＥ内で、ＵＥ１１０が等価ＰＬＭＮでないＰＬＭＮに登録するまで、またはＵＥ１１０が任意の他のＰＬＭＮに登録するまで、ＵＥ１１０はＰＤＰタイプＩＰｖ６アドレスを使用して同じＡＰＮに対する別のリクエストを送信すべきでないかを明確に指示することができる。プロシージャ２１４においてネットワーク１１２がデフォルトスコープインジケータを提供した場合、ネットワーク１１２は、プロシージャ２２２において、ネットワーク１１２がプロシージャ２１４で信号伝達されたデフォルト値と異なる値を指示することを希望する場合のみ、スコープインジケータを信号伝達する。
【００２２】
１つまたは複数の実施形態によれば、ネットワーク１１２は、全てのＵＥもしくはほとんどのＵＥに対して、プロシージャ２１４においてデフォルトスコープインジケータＩＥを送信する場合があるか、またはプロシージャ２１８においてスコープインジケータＩＥを送信する場合があるか、またはその両方の場合がある。このような構成は、スコープインジケータもしくはデフォルトスコープインジケータの新しいパラメータが新しいオプション情報要素として、もしくは既存の情報要素内の新しいフィールド（単数または複数）として、関連信号伝達メッセージに追加されてよく、レガシーＵＥは、プロトコルエラー処理プロシージャに従って未知のオプション情報要素もしくは既存の情報要素内の未知のフィールドを無視してよいので、後方互換性の問題を防ぐ、もしくは軽減することができるが、この点に関して、請求される主題の範囲は限定されない。
【００２３】
１つまたは複数の第２の実施形態によれば、ネットワーク１１２は、ＵＥ１１０が、プロシージャ２１２における「ルーティングエリア更新リクエスト」メッセージ内、もしくは「アタッチリクエスト」メッセージ内でスコープインジケータＩＥのサポートを予め示している場合のみ、デフォルトスコープインジケータもしくはスコープインジケータをＵＥ１１０に送信してよい。下記のテーブル１は、「ＰＤＰコンテキスト起動受諾」メッセージがスコープインジケータＩＥを含むように変更される方法の一例を示しているが、この点に関して、請求される主題の範囲は限定されない。
【００２４】
【表１】
0006449453.tif 000002
【００２５】
図３を参照しながら、１つまたは複数の実施形態のスコープインジケータ情報要素の図について説明する。下記の図３およびテーブル２は、スコープインジケータＩＥを定義する方法の一例を示している。スコープインジケータパラメータは、等価ＰＬＭＮのリスト内に無い新しいＰＬＭＮに登録すると、または任意の新しいＰＬＭＮに登録すると、ＵＥ１１０がリクエストを繰り返し送信してよいか否かを示す単一フラグとして定義される。
【００２６】
【表２】
0006449453.tif 000003
【００２７】
図４を参照しながら、１つまたは複数の実施形態の代替のスコープインジケータ情報要素の図について説明する。下記の図４およびテーブル３は、スコープインジケータＩＥを定義する方法の代替例を示している。この場合、パラメータは、ＵＥ１１０が新しいエリアに入るとリクエストを繰り返し送信してよいか否かを示すフラグセットとして定義され、この場合、ネットワーク１１２が新しいエリアとして等価ＰＬＭＮ（ｅＰＬＭＮ）およびＰＬＭＮに信号伝達できるだけでなく、Ａ／ＧｂモードもしくはＩｕモードとＳ１モードと間のインター無線アクセス技術（インターラット）の変更（ＲＡＴ  ｅｘｔ）、Ａ／ＧｂモードとＩｕモードとの間のインターラット変更を含む任意のインターラット変更（ＲＡＴ  ｉｎｔ）、新しいロケーションエリアへの変更（ＬＡＩ）、新しいルーティングエリアへの変更（ＲＡＩ）、もしくは新しいセルへの変更もできるように、エリアの概念が一般化されてよい。１つまたは複数の実施形態によれば、ネットワーク１１２はさらに、２つ以上のフラグの組み合わせを設定してよい。これは、フラグの１つによって示された条件のいずれかが満たされれば、ＵＥ１１０が新しいエリアに入るようにＵＥ１１０によって処理されてよい。例えば、ネットワークがＰＬＭＮ用のフラグと任意のインターラット変更（ＲＡＴ  ｅｘｔ）用のフラグの両方を設定している場合、ＵＥ１１０は、ネットワーク１１２内の新しいＲＡＴに入ると、または新しいＰＬＭＮがネットワーク１１２と等価であるか否かに関係なく、新しいＰＬＭＮに入ると、新しいエリアに入っていることになる。第２の例では、ネットワーク１１２がｅＰＬＭＮ用のフラグと任意のインターラット変更（ＲＡＴ  ｅｘｔ）用のフラグの両方を設定している場合、ＵＥ１１０は、ネットワーク１１２内の新しいＲＡＴに入ると、または等価ＰＬＭＮでない新しいＰＬＭＮに入ると、新しいエリアに入っていることになる。すなわち、この第２の例では、ＵＥ１１０がＲＡＴを変更せずに等価ＰＬＭＮに入ると、ＵＥ１１０はリクエストを繰り返し送信することができない。
【００２８】
【表３】
0006449453.tif 000004
【００２９】
ビット１〜ビット７のどれも設定されない場合、ＵＥ１１０は、特定の他のイベント、例えば電源オフ／電源オン、汎用加入者識別モジュール（ＳＩＭ／ＵＳＩＭ）の取り外し、タイマーの終了などが発生した場合のみリクエストを繰り返し送信することができる。これらのイベントは、個々のケースに関して明確に規定される。
【００３０】
図５を参照しながら、１つまたは複数の実施形態のスコープインジケータマトリクス情報要素の図について説明する。別の代替実施形態として、適用可能な等価ＰＬＭＮのマトリクスを利用してよい。このマトリクスは、個々の等価ＰＬＭＮ各々に対して、要求された機能もしくはサービスの拒否はこの特定のＰＬＭＮにも適用されるか、そして、その後、ＵＥ１１０は、この特定のＰＬＭＮに入るとリクエストを繰り返し送信することができるか否かを示すことになる。さらに、マトリクス内のフラグは、ＵＥ１１０が等価ＰＬＭＮリスト内に無い新しいＰＬＭＮに入るとリクエストを繰り返し送信することができるか否かを示してよい。本明細書で説明されているように、このようなマトリクスは、スコープインジケータマトリクスと呼ばれる場合がある。典型的には、仕様によれば、１５個の等価ＰＬＭＮをＵＥに指示することができるが、この点に関して、請求される主題の範囲は限定されないことに留意されたい。スコープインジケータマトリクスＩＥの符号化の一例が、下記の図５およびテーブル４に示されている。
【００３１】
【表４】
0006449453.tif 000005
【００３２】
【表５】
0006449453.tif 000006
【００３３】
【表６】
0006449453.tif 000007
【００３４】
【表７】
0006449453.tif 000008
【００３５】
図６を参照しながら、図５に示されているスコープインジケータマトリクスを利用することができる１つまたは複数の実施形態のネットワークシステムの図について説明する。この例では、ＵＥ１１０は、自宅のＰＬＭＮであるＰＬＭＮａ（ＭＣＣ１＋ＭＮＣａ）内にあるとする。ＰＬＭＮａは、図６に示されているように、ＰＬＭＮｂ（ＭＣＣ２＋ＭＮＣｂ）、ＰＬＭＮｃ（ＭＣＣ１＋ＭＮＣｃ）、ＰＬＭＮｄ（ＭＣＣ１＋ＭＮＣｄ）、およびＰＬＭＮｅ（ＭＣＣ１＋ＭＮＣｅ）とのローミングおよび操作契約を有する。ＰＬＭＮｘ、ＰＬＭＮｙ、およびＰＬＭＮｚは、さらにＰＬＭＮａのオペレータがローミング契約をしていないＰＬＭＮを含んでよい。ＰＬＭＮａのオペレータは、自身の加入者がＰＬＭＮｂ、ＰＬＭＮｃ、ＰＬＭＮｄ、およびＰＬＭＮｅをＰＬＭＮａと等価なＰＬＭＮと考えることを望んでいる。さらに、ＰＬＭＮａのオペレータは、ＰＬＭＮａ、ＰＬＭＮｂおよびＰＬＭＮｅが特定のサービスおよび機能の共通のデプロイメントを有する場合に、ＰＬＭＮｂおよびＰＬＭＮｅとの商業的契約およびデプロイメント契約を有してよい。このシナリオのメッセージフローの一例は、図７に示されており、図７に関して下記で説明されている。
【００３６】
図７を参照しながら、図５に示されているスコープインジケータマトリクスを利用することができるネットワーク内の１つまたは複数の実施形態のメッセージフローの図について説明する。図７に示されているように、ＵＥ１１０のホームネットワークは、ＰＬＭＮａに対応するネットワーク１１２としてよい。プロセス７１０において、ＵＥ１１０は「トラッキングエリア更新リクエスト」内のスコープ情報をサポートし、使用することができることを示すことができる。プロセス７１２において、ネットワーク１１２は、ＵＥ１１０の登録を受諾し、「トラッキングエリア更新受諾」で返答する。ネットワーク１１２は、このメッセージ内で、ＰＬＭＮａ、ＰＬＭＮｂ、ＰＬＭＮｃ、ＰＬＭＮｄ、およびＰＬＭＮｅに対して等価ＰＬＭＮを示す。任意で、プロセス７１２において、ネットワーク１１２は、図示されているようなデフォルトスコープインジケータマトリクスの一例を使用して、デフォルトスコープインジケータマトリクスを示すことができる。
【００３７】
その後、プロセス７１４において、ＵＥ１１０は、事前にＰＤＮ接続が確立されていないＡＰＮに対してサービスを要求する。この「ＰＤＮ接続リクエスト」内で、ＵＥ１１０は、ＡＰＮという名称、さらに要求されたＰＤＮタイプ、例えばＩＰｖ４を示す。プロセス７１６において、ネットワーク１１２は、例えば、ネットワーク１１２がＩＰｖ４アドレスのＡＰＮに対するリクエストを認めないと決定し、その結果、ネットワーク１１２は、拒否原因ナンバー５１による「ＰＤＮ接続拒否」で返答する場合がある。この拒否メッセージと共に、ネットワーク１１２は、ＵＥ１１０に割り当てられた等価ＰＬＭＮａの範囲外では、ＵＥ１１０は、等価ＰＬＭＮｂもしくは等価ＰＬＭＮｅに移動する場合にはリクエストを繰り返し送信することができるが、しかし等価ＰＬＭＮｃもしくは等価ＰＬＭＮｄに移動しない場合にはリクエストを繰り返し送信することができない、ということを明確に示したスコープインジケータマトリクスをＵＥ１１０に対して提供する。さらに、ＵＥ１１０は、ＵＥ１１０が等価ＰＬＭＮのリスト内に含まれない任意のＰＬＭＮに移動した場合に、リクエストを繰り返し送信することができる。プロセス７１６で提供される拒否範囲に関する情報は、特に、ＰＤＮ接続要求に適用可能であるので、該スコープインジケータは、プロセス７１２で提供されたデフォルトスコープインジケータに優先する。この例から、ＵＥ１１０に対してさらに細かな粒度の情報を提供するためにネットワーク１１２によってスコープインジケータマトリクスを使用する方法、および指示されたどの等価ＰＬＭＮ内でＵＥ１１０がサービスもしくは機能のリクエストを繰り返し送信することができるか、もしくはできないかをＵＥ１１０に信号伝達する方法がわかる。図４およびテーブル３に示されている例と同様に、スコープインジケータマトリクスはさらに、例えば、指定の等価ＰＬＭＮ内のインターラット変更が生じた後、または任意のインターラット変更が生じた後に、ＵＥ１１０がリクエストを繰り返し送信することができるか否かの指示を含むように拡張されてよい。本明細書で説明されているのは、ネットワーク１１２に対するＵＥ１１０の反復リクエストを制御する実装例に過ぎず、これらの点に関して、請求される主題の範囲は限定されないことに留意されたい。
【００３８】
図８を参照しながら、モバイルデバイスがモバイルネットワークに対してリクエストを繰り返し送信することを防ぐことができる１つまたは複数の実施形態の情報処理システムのブロック図について説明する。図８の情報処理システム８００は、本明細書で上述した任意の１つまたは複数の要素、例えば、これらに限定されないが、ＵＥ１１０、ネットワーク１１２、ネットワーク１１４、ＧＥＲＡＮ／ＵＴＲＡＮ２０２、もしくはＳＧＳＮ２０４などを具現化してよく、特定のデバイスのハードウェアの仕様に応じて、これより多いコンポーネントもしくはこれより少ないコンポーネントを具現化してよい。情報処理システム８００は複数のタイプのコンピューティングプラットフォームのうちの一例を示しているが、情報処理システム８００は、図８に示されている要素より多いか、もしくは少ない数の要素および／または図８に示されている要素と異なる配置を含んでよく、これらの点に関して、請求される主題の範囲は限定されない。
【００３９】
１つまたは複数の実施形態では、情報処理システム８００は、アプリケーションプロセッサ８１０と、ベースバンドプロセッサ８１２とを含んでよい。アプリケーションプロセッサ８１０は、情報処理システム８００のためのアプリケーションおよび種々のサブシステムを実行するための汎用プロセッサとして使用されてよい。アプリケーションプロセッサ８１０は、シングルコアを含んでよいか、または代替として、複数の処理コアを含んでよく、１つまたは複数のコアは、デジタル信号プロセッサもしくはデジタル信号処理（ＤＳＰ）コアを備えてよい。さらに、アプリケーションプロセッサ８１０は、同じチップ上に配置されるグラフィックプロセッサもしくはコプロセッサを含んでよいか、または代替として、アプリケーションプロセッサ８１０に結合されるグラフィックプロセッサが別個の個別グラフィックチップを備えてよい。アプリケーションプロセッサ８１０は、キャッシュメモリのようなオンボードメモリを含んでよく、アプリケーションプロセッサ８１０はさらに、動作時にアプリケーションを記憶および／または実行するための同期型ダイナミックランダムアクセスメモリ（ＳＤＲＡＭ）８１４、および情報処理システム８００の電源が切られたときにもアプリケーションおよび／またはデータを記憶するためのＮＡＮＤフラッシュ８１６のような外部メモリデバイスに結合されてよい。１つまたは複数の実施形態では、情報処理システム８００および／または本明細書に記載されているように動作するそのコンポーネントもしくはサブシステムのいずれかを操作もしくは構成するための命令は、非一時的な記憶媒体を備えた製品に記憶されてよい。１つまたは複数の実施形態では、記憶媒体は、本明細書で図示され説明されているメモリデバイスのいずれかを備えてよいが、この点に関して、請求される主題の範囲は限定されない。ベースバンドプロセッサ８１２は、情報処理システム８００のために広帯域無線機能を制御してよい。ベースバンドプロセッサ８１２は、このような広帯域無線機能を制御するコードをＮＯＲフラッシュ８１８に記憶してよい。ベースバンドプロセッサ８１２は、例えば、３ＧＰＰ  ＬＴＥもしくはＬＴＥ−Ａｄｖａｎｃｅｄネットワークなどを介して通信するための広帯域ネットワーク信号を変調および／または復調するのに使用されるワイヤレス広域ネットワーク（ＷＷＡＮ）送受信機８２０を制御する。１つまたは複数の実施形態では、ＳＤＲＡＭ８１４、ＮＡＮＤフラッシュ８１６、および／またはＮＯＲフラッシュ８１８は、マシン、プロセッサ、コンピューティングデバイスもしくはコンピュータに本明細書で説明されている任意の方法もしくはシステムを実施させるために、コードが記憶された非一時的な記憶媒体を備えた製品、例えば、ソフトウェア、ファームウェア、もしくは論理回路を備えてよい。
【００４０】
一般に、ＷＷＡＮ送受信機８２０は、任意の１つまたは複数の下記の無線通信技術および／または標準規格に従って動作してよいが、これらに限定されない。ＧＳＭ（登録商標）（Global  System  for  Mobile  Communications）無線通信技術、ＧＰＲＳ（General  Packet  Radio  Service）無線通信技術、ＥＤＧＥ（Enhanced  Data  Rates  for  GSM（登録商標）  Evolution）無線通信技術、および／または３ＧＰＰ（Third  Generation  Partnership  Project）無線通信技術、例えば、ＵＭＴＳ（Universal  Mobile  Telecommunications  System）、ＦＯＭＡ（Freedom  of  Multimedia  Access）、３ＧＰＰ  ＬＴＥ（Long  Term  Evolution）、３ＧＰＰ  ＬＴＥ  Ａｄｖａｎｃｅｄ（Long  Term  Evolution  Advanced）、ＣＤＭＡ２０００（Code  division  multiple  access  2000）、ＣＤＰＤ（Cellular  Digital  Packet  Data）、Ｍｏｂｉｔｅｘ、３Ｇ（Third  Generation）、ＣＳＤ（Circuit  Switched  Data）、ＨＳＣＳＤ（High-Speed  Circuit-Switched  Data）、ＵＭＴＳ（３Ｇ）（Universal  Mobile  Telecommunications  System(Third  Generation))、Ｗ−ＣＤＭＡ（ＵＭＴＳ）（Wideband  Code  Division  Multiple  Access(Universal  Mobile  Telecommunications  System)）、ＨＳＰＡ（High  Speed  Packet  Access）、ＨＳＤＰＡ（High-Speed  Downlink  Packet  Access）、ＨＳＵＰＡ（High-Speed  Uplink  Packet  Access）、ＨＳＰＡ＋（High-Speed  Packet  Access  Plus）、ＵＭＴＳ−ＴＤＤ（Universal  Mobile  Telecommunications  System-Time-Division  Duplex）、ＴＤ−ＣＤＭＡ（Time  Division-Code  Division  Multiple  Access）、ＴＤ−ＣＤＭＡ（Time  Division-Synchronous  Code  Division  Multiple  Access）、３ＧＰＰ  Ｒｅｌ．８（Ｐｒｅ−４Ｇ）（3rd  Generation  Partnership  Project  Release  8(Pre-4th  Genereation)）、ＵＴＲＡ（UMTS  Terrestrial  Radio  Access）、Ｅ−ＵＴＲＡ（Evolved  UMTS  Terrestrial  Radio  Access）、ＬＴＥ  Ａｄｖａｎｃｅｄ（４Ｇ）（Long  Term  Evolution  Advanced(4th  Generation)）、ｃｄｍａＯｎｅ（２Ｇ）、ＣＤＭＡ２０００（３Ｇ）（Code  division  multiple  access  2000(Third  generation)）、ＥＶ−ＤＯ（Evolution-Data  Optimized  or  Evolution-Data  Only）、ＡＭＰＳ（１Ｇ）（Advanced  Mobile  Phone  System(1st  Generation)）、ＴＡＣＳ／ＥＴＡＣＳ（Total  Access  Communication  System/Extended  Total  Access  Communication  System）、Ｄ−ＡＭＰＳ（２Ｇ）（Digital  AMPS(2nd  Generation))、ＰＴＴ（Push-to-talk）、ＭＴＳ（Mobile  Telephone  System）、ＩＭＴＳ（Improved  Mobile  Telephone  System）、ＡＭＴＳ（Advanced  Mobile  Telephone  System）、ＯＬＴ（（ノルウェー語Offentlig  Landmobil  Telefoni，Public  Land  Mobile  Telephonyの略語））、ＭＴＤ（スウェーデン語Mobiltelefonisystem  Dの略語、もしくはMobile  telephony  system  D）、Ａｕｔｏｔｅｌ／ＰＡＬＭ（Public  Automated  Land  Mobile）、ＡＲＰ（フィンランド語Autoradiopuhelinの略語「自動車用無線電話」）、ＮＭＴ（Nordic  Mobile  Telephony）、Ｈｉｃａｐ（High  capacity  version  of  NTT（日本電信電話））、ＣＤＰＤ（Cellular  Digital  Packet  Data）、Ｍｏｂｉｔｅｘ、ＤａｔａＴＡＣ、ｉＤＥＮ（Integrated  Digital  Enhanced  Network）、ＰＤＣ（Personal  Digital  Cellular）、ＣＳＤ（Circuit  Switched  Data）、ＰＨＳ（Personal  Handy-phone  System）、ＷｉＤＥＮ（Wideband  Integrated  Digital  Enhanced  Network）、ｉＢｕｒｓｔ、ＵＭＡ（Unlicensed  Mobile  Access、3GPP  Generic  Access  NetworkもしくはＧＡＮ標準規格とも呼ばれる）、Ｚｉｇｂｅｅ、Ｂｌｕｅｔｏｏｔｈ（登録商標）、および／または汎用テレメトリ送受信機、および一般的に任意のタイプのＲＦ回線もしくはＲＦＩ高感度回線。このような標準規格は、徐々に進化する場合があり、および／または新しい標準規格が公布される場合があるが、この点に関して、請求される主題の範囲は限定されないことに留意されたい。
【００４１】
ＷＷＡＮ送受信機８２０は、ＷＷＡＮ広帯域ネットワークを介して無線周波数信号を送受信するために、１つまたは複数のアンテナ８２４にそれぞれ結合された１つまたは複数のパワーアンプ８２２に結合される。ベースバンドプロセッサ８１２はさらに、１つまたは複数の適切なアンテナ８２８に結合され、Ｗｉ−Ｆｉ、Ｂｌｕｅｔｏｏｔｈ（登録商標）、および／または振幅変調（ＡＭ）もしくは周波数変調（ＦＭ）無線標準規格（ＩＥＥＥ８０２．１１ａ／ｂ／ｇ／ｎ標準規格およびＩＥＥＥ８０２．１ｌａｃ標準規格などを含む）を介して通信することができるワイヤレスローカルエリアネットワーク（ＷＬＡＮ）送受信機８２６を制御してよい。これらは、アプリケーションプロセッサ８１０およびベースバンドプロセッサ８１２の実装例に過ぎず、これらの点に関して、請求される主題の範囲は限定されないことに留意されたい。例えば、ＳＤＲＡＭ８１４、ＮＡＮＤフラッシュ８１６、および／またはＮＯＲフラッシュ８１８のうちのいずれか１つまたは複数は、他のタイプのメモリ技術、例えば、磁気メモリ、カルコゲナイドメモリ、相変化メモリ、もしくはオーボニック（ovonic）メモリなどを備えてよく、この点に関して、請求される主題の範囲は限定されない。
【００４２】
１つまたは複数の実施形態では、アプリケーションプロセッサ８１０は、種々の情報もしくはデータを表示するためにディスプレイ８３０を駆動してよく、さらに例えば指もしくはスタイラスペンによるタッチスクリーン８３２を介したユーザからのタッチ入力を受信してよい。情報処理システム８００が動作している周辺光の量を検出するのに周辺光センサ８３４を利用して、例えば、周辺光センサ８３４によって検出された周辺光の強度に応じてディスプレイ８３０の輝度もしくはコントラスト値を制御してよい。アプリケーションプロセッサ８１０によって処理され、および／またはＮＡＮＤフラッシュ８１６に少なくとも一時的に記憶される画像を取り込むために、１つまたは複数のカメラ８３６が利用されてよい。さらに、アプリケーションプロセッサは、情報処理システム８００の位置、動き、および／または向きを含むさまざまな環境特性を検出するために、ジャイロスコープ８３８、加速度計８４０、磁力計８４２、オーディオコーダ／デコーダ（ＣＯＤＥＣ）８４４、および／または適切な全地球測位システム（ＧＰＳ）アンテナ８４８に結合されたＧＰＳコントローラ８４６に結合されてよい。あるいは、コントローラ８４６は、全地球航法衛星システム（ＧＮＳＳ）コントローラを備えてよい。オーディオＣＯＤＥＣ８４４は、１つまたは複数のオーディオポート８５０に結合されて、オーディオポート８５０、例えばヘッドフォンジャックおよびマイクジャックを介して情報処理システムに結合される内部装置および／または外部装置のいずれかを使用して、マイク入力およびスピーカ出力を提供してよい。さらに、アプリケーションプロセッサ８１０は、ユニバーサルシリアルバス（ＵＳＢ）ポート、高精細度マルチメディアインターフェース（ＨＤＭＩ(登録商標)）ポート、シリアルポートなどの１つまたは複数の入出力（Ｉ／Ｏ）ポート８５４に結合するために１つまたは複数のＩ／Ｏ送受信機８５２に結合されてよい。さらに、Ｉ／Ｏ送受信機８５２の１つまたは複数は、セキュアデジタル（ＳＤ）カードもしくは加入者識別モジュール（ＳＩＭ）カードのようなオプション装備のリムーバブルメモリ用の１つまたは複数のメモリスロット８５６に結合されてよいが、これらの点に関して、請求される主題の範囲は限定されない。
【００４３】
図９は、任意でタッチスクリーンを含むことができる１つまたは複数の実施形態の図８の情報処理システムの等角図である。図９は、例えば、ＵＥ１１０もしくは同様のデバイスの一実施形態例として、携帯電話、スマートフォン、もしくはタブレット式デバイスなどとして具現化された図８の情報処理システム８００の一実装例を示している。情報処理システム８００は、ディスプレイ８３０を有する筐体９１０を備えてよく、ディスプレイ８３０は、１つまたは複数のアプリケーションプロセッサ８１０を制御するためにユーザの指９１６および／またはスタイラスペン９１８による触覚入力制御およびコマンドを受信するためのタッチスクリーン８３２を含んでよい。筐体９１０は、情報処理システム８００の１つまたは複数のコンポーネント、例えば１つもしくは複数のアプリケーションプロセッサ８１０、ＳＤＲＡＭ８１４、ＮＡＮＤフラッシュ８１６、ＮＯＲフラッシュ８１８のうちの１つもしくは複数、ベースバンドプロセッサ８１２、および／またはＷＷＡＮ送受信機８２０を収容してよい。情報処理システム８００はさらに、任意で、１つまたは複数のボタンまたはスイッチを介して情報処理システムを制御するのに使用するキーボードもしくはボタンを備えることができる物理的アクチュエータエリア９２０を含んでよい。情報処理システム８００はさらに、例えば、セキュアデジタル（ＳＤ）カードもしくは加入者識別モジュール（ＳＩＭ）カードの形態のフラッシュメモリのような不揮発性メモリを受容するためのメモリポートもしくはスロット８５６を含んでよい。任意で、情報処理システム８００はさらに、１つまたは複数のスピーカおよび／またはマイク９２４、および情報処理システム８００を別の電子デバイス、ドック、ディスプレイ、充電器などに接続するための接続ポート８５４を含んでよい。さらに、情報処理システム８００は、ヘッドフォンもしくはスピーカジャック９２８、および筐体９１０の１つまたは複数の面の１つまたは複数のカメラ８３６を含んでよい。図９の情報処理システム８００は、図示されている例より多いか、もしくは少ない数の要素をさまざまな配置で含んでよく、この点に関して、請求される主題の範囲は限定されないことに留意されたい。
【００４４】
例示のために、本明細書ではさまざまな実施形態が説明されている。実施形態例およびその変形形態は、代替の組み合わせを備えてよく、いずれの特定の実施形態の形で存在する必要はなく、これらの点に関して、請求される主題の範囲は限定されないことに留意されたい。本明細書内で説明されている実施形態例は、第１の地上波公共移動通信ネットワーク（ＰＬＭＮ）のネットワークノードに含まれる装置を含んでよく、該装置は、ユーザ端末（ＵＥ）からのリクエストを処理し、第１のＰＬＭＮがリクエストに対してサービスを提供することができないと決定し、その決定に基づいて第１のＰＬＭＮがリクエストに対してサービスを提供することができないとの指示を生成し、ＵＥが第１のＰＬＭＮに対してリクエストを繰り返し送信することができないとの指示を生成する制御回路と、制御回路に結合され、ＵＥからのリクエストの指示を受信する受信回路と、制御回路に結合され、ＵＥに対して、第１のＰＬＭＮがリクエストに対してサービスを提供することができないとの指示およびＵＥが第１のＰＬＭＮに対してリクエストを繰り返し送信することができないとの指示の送信を容易にする送信回路とを備える。制御回路は、第１のＰＬＭＮと等価な少なくとも１つの他のＰＬＭＮを決定し、ＵＥがその少なくとも１つの他のＰＬＭＮに対してリクエストを繰り返し送信することができるか否かの指示を生成することができ、さらに送信回路は、その少なくとも１つの他のＰＬＭＮの指示をＵＥに送信することができる。あるいは、等価ＰＬＭＮがリクエストを受諾すべきか否かを決定する場合がある。ＵＥが第１のＰＬＭＮに対してリクエストを繰り返し送信することができないとの指示は、さらにＵＥがその少なくとも１つの他の等価ＰＬＭＮに対してリクエストを繰り返し送信することができないということを示すことができる。あるいは、ＵＥが第１のＰＬＭＮに対してリクエストを繰り返し送信することができないとの指示は、さらにＵＥが任意の他のＰＬＭＮに対してリクエストを繰り返し送信することができるということを示すことができる。ＵＥが第１のＰＬＭＮに対してリクエストを繰り返し送信することができないとの指示は、第１のＰＬＭＮがリクエストに対してサービスを提供することができないとの決定に基づいて、ＵＥに送信することができる。ＵＥが第１のＰＬＭＮに対してリクエストを繰り返し送信することができないとの指示は、ＵＥの第１のＰＬＭＮへの登録に基づいて、ＵＥに送信することができる。制御回路は、ＵＥが第１のＰＬＭＮに対してリクエストを繰り返し送信することができる期間をその前に決定することができ、送信回路は、その期間をＵＥに送信することができる。
【００４５】
別の実施形態例は、第１の地上波公共移動通信ネットワーク（ＰＬＭＮ）に関連付けられたネットワークノードによって、ユーザ端末（ＵＥ）からのリクエストを処理するステップと、第１のＰＬＭＮがそのリクエストに対してサービスを提供することができないと決定するステップと、その決定に基づいて第１のＰＬＭＮがリクエストに対してサービスを提供することができないとの指示を送信するステップと、ＵＥが第１のＰＬＭＮに対してリクエストを繰り返し送信することができないとの指示を送信するステップとを含む方法を含んでよい。該方法はさらに、第１のＰＬＭＮと等価な少なくとも１つの他のＰＬＭＮを決定するステップと、ＵＥがその少なくとも１つの他の等価ＰＬＭＮに対してリクエストを繰り返し送信することができるか否かの指示を生成するステップと、その少なくとも１つの他のＰＬＭＮの指示をＵＥに送信するステップとを含む。ＵＥが第１のＰＬＭＮに対してリクエストを繰り返し送信することができないとの指示は、さらにＵＥがその少なくとも１つの他の等価ＰＬＭＮに対してリクエストを繰り返し送信することができないということを示すことができる。あるいは、ＵＥが第１のＰＬＭＮに対してリクエストを繰り返し送信することができないとの指示は、さらにＵＥが任意の他のＰＬＭＮに対してリクエストを繰り返し送信することができるということを示すことができる。ＵＥが第１のＰＬＭＮに対してリクエストを繰り返し送信することができないとの指示の送信は、第１のＰＬＭＮがリクエストに対してサービスを提供することができないとの決定に基づいて行われる。ＵＥが第１のＰＬＭＮに対してリクエストを繰り返し送信することができないとの指示の送信は、ＵＥの第１のＰＬＭＮへの登録に基づいて行われる。該方法はさらに、ＵＥが第１のＰＬＭＮに対してリクエストを繰り返し送信することができる期間をその前に決定するステップと、その期間をＵＥに送信するステップとを含む。
【００４６】
さらに別の実施形態例は、ユーザ端末（ＵＥ）に含まれる装置を含み、該装置は、第１の地上波公共移動通信ネットワーク（ＰＬＭＮ）に登録し、リクエストを生成し、第１のＰＬＭＮがリクエストに対してサービスを提供することができないとの指示を処理し、ＵＥが第１のＰＬＭＮに対してリクエストを繰り返し送信することができないとの指示を処理する制御回路と、制御回路に結合され、第１のＰＬＭＮからの指示を受信する受信回路と、制御回路に結合され、第１のＰＬＭＮに対してリクエストを送信する送信回路とを備える。制御回路は、第１のＰＬＭＮと等価な少なくとも１つの他のＰＬＭＮの指示を処理し、ＵＥがその少なくとも１つの他の等価ＰＬＭＮに対してリクエストを繰り返し送信することができるか否かの指示を処理することができ、さらに受信回路は、その少なくとも１つの他の等価ＰＬＭＮの指示、およびＵＥがその少なくとも１つの他の等価ＰＬＭＮに対してリクエストを繰り返し送信することができるか否かの指示を受信することができる。ＵＥが第１のＰＬＭＮに対してリクエストを繰り返し送信することができないとの指示は、さらにＵＥがその少なくとも１つの他の等価ＰＬＭＮに対してリクエストを繰り返し送信することができないということを示すことができる。あるいは、ＵＥが第１のＰＬＭＮに対してリクエストを繰り返し送信することができないとの指示は、さらにＵＥが任意の他のＰＬＭＮに対してリクエストを繰り返し送信することができるということを示すことができる。ＵＥが第１のＰＬＭＮに対してリクエストを繰り返し送信することができないとの指示は、リクエストに基づいて制御回路で処理されることができる。ＵＥが第１のＰＬＭＮに対してリクエストを繰り返し送信することができないとの指示は、ＵＥの第１のＰＬＭＮへの登録に基づいて制御回路で処理されることができる。制御回路は、ＵＥが第１のＰＬＭＮに対してリクエストを繰り返し送信することができる期間をその前に決定することができ、任意で、決定された期間の経過後に送信回路にリクエストを再送信させることができる。
【００４７】
別の実施形態例は、ユーザ端末（ＵＥ）によって、第１の地上波公共移動通信ネットワーク（ＰＬＭＮ）に登録するステップと、第１のＰＬＭＮに対してリクエストを送信するステップと、第１のＰＬＭＮがそのリクエストに対してサービスを提供することができないとの指示を受信するステップと、ＵＥが第１のＰＬＭＮに対してリクエストを繰り返し送信することができないとの指示を受信するステップとを含む方法を含んでよい。該方法はさらに、第１のＰＬＭＮと等価な少なくとも１つの他のＰＬＭＮの指示を受信するステップと、ＵＥがその少なくとも１つの他の等価ＰＬＭＮに対してリクエストを繰り返し送信することができるか否かの指示を受信するステップとを含む。該方法はさらに、ＵＥがその少なくとも１つの他の等価ＰＬＭＮに対してリクエストを繰り返し送信することができないとの指示を受信するステップを含む。あるいは、ＵＥが第１のＰＬＭＮに対してリクエストを繰り返し送信することができないとの指示は、ＵＥが任意の他のＰＬＭＮに対してリクエストを繰り返し送信することができるということを示すことができる。ＵＥが第１のＰＬＭＮに対してリクエストを繰り返し送信することができないとの指示の受信は、リクエストに基づいて行われる。ＵＥが第１のＰＬＭＮに対してリクエストを繰り返し送信することができないとの指示の受信は、ＵＥの第１のＰＬＭＮへの登録に基づいて行われる。該方法はさらに、ＵＥが第１のＰＬＭＮに対してリクエストを繰り返し送信することができる期間をその前に受信するステップと、任意で、その期間経過後にリクエストを再送信するステップとを含む。
【００４８】
さらに別の実施形態例は、本明細書で説明されている例のいずれかの方法を実行する手段を備えた装置を含んでよい。別の実施形態例は、ネットワークノードの１つまたは複数のプロセッサによって命令を実行する際に、ネットワークノードに本明細書に示されている例のいずれかを実行させるように構成された命令を含む１つまたは複数の非一時的なコンピュータ可読媒体を含んでよい。別の実施形態例は、ユーザ端末（ＵＥ）の１つまたは複数のプロセッサによって命令を実行する際に、ＵＥに本明細書に示されている例のいずれかを実行させるように構成された命令を含む１つまたは複数の非一時的なコンピュータ可読媒体を含んでよい。
【００４９】
さらに別の実施形態例は、モバイルネットワークによって、ユーザ端末（ＵＥ）からのリクエストの指示を受信するステップと、モバイルネットワークによって、リクエストに応答してリクエスト拒否メッセージを送信するステップと、モバイルネットワークによって、ＵＥが少なくとも２つのモバイルネットワークを含むセットに属さない異なるモバイルネットワークに入るまでリクエストを繰り返し送信することができないとの指示を送信するステップとを含む方法を含んでよい。少なくとも２つのモバイルネットワークを含むセットは、モバイルネットワークによって、信号伝達でＵＥに指示される。少なくとも２つのモバイルネットワークは、３ＧＰＰ標準規格に従うネットワークであり、少なくとも２つのモバイルネットワークを含むセットは、等価ＰＬＭＮのリストである。モバイルネットワークは、ＵＥが少なくとも１つの指定セルセットに属するセルに入るまでリクエストを繰り返し送信することができないとの指示を送信することができる。少なくとも１つの指定セルセットは、モバイルネットワークによって、ＵＥがリクエストを送信したモバイルネットワークとは異なるモバイルネットワークに属する任意のセルを含むように指示されてよい。少なくとも１つの指定セルセットは、モバイルネットワークによって、少なくとも２つのモバイルネットワークのセットの指定サブセットに属する任意のセルを含むように指示されてよい。少なくとも２つのモバイルネットワークは、３ＧＰＰ標準規格に従うネットワークであり、少なくとも１つの指定セルセットは、モバイルネットワークによって、ＵＥがリクエストを送信したセルとは異なる任意のセル、またはＵＥがリクエストを送信したセルのルーティングエリアとは異なるルーティングエリアに属する任意のセル、またはＵＥがリクエストを送信したセルのロケーションエリアとは異なるロケーションエリアに属する任意のセル、またはＵＥがリクエストを送信したセルのトラッキングエリアとは異なるトラッキングエリアに属する任意のセル、またはＵＥがリクエストを送信したセルの無線アクセス技術（ＧＥＲＡＮ、ＵＴＲＡＮ、もしくはＥ−ＵＴＲＡＮ）とは異なる無線アクセス技術に属する任意のセル、または無線アクセス技術ＧＥＲＡＮもしくはＵＴＲＡＮに属する任意のセル、または無線アクセス技術Ｅ−ＵＴＲＡＮに属する任意のセルを含むように指示されてよい。少なくとも２つのモバイルネットワークは、３ＧＰＰ標準規格に従うネットワークであり、少なくとも１つの指定セルセットは、少なくとも２つのモバイルネットワークのうちの１つに属するセルに限定されるように指示されてよい。ＵＥは、電源が切られて再び電源が入れられた後に、または加入者識別モジュール（ＳＩＭ／ＵＳＩＭ）が取り外された後に、リクエストを繰り返し送信することができる場合がある。モバイルネットワークは、リクエスト拒否メッセージ内にバックオフタイムを含み、ＵＥは、バックオフタイムが経過すると、リクエストを繰り返し送信することができる。ＵＥは一定の基準が満たされるまでリクエストを繰り返し送信することができないとの指示は、ＵＥがモバイルネットワークにアタッチしているときに、もしくはモバイルネットワークへのその登録を更新しているときに、ネットワークによって提供されてよい。ＵＥは一定の基準が満たされるまでリクエストを繰り返し送信することができないとの指示は、リクエスト拒否メッセージと共に提供されてよい。ＵＥは、異なる種類のリクエストを送信することができ、特定のリクエストに応答してモバイルネットワークが上記の両方の指示を提供する場合、このリクエストに対して、ＵＥはリクエスト拒否メッセージと共に受信した指示を適用して、ネットワークにアタッチしている間もしくはネットワークへのその登録を更新している間に受信した指示を無視する。モバイルネットワークは、ＵＥがモバイルネットワークにアタッチしているときか、もしくはモバイルネットワークへのその登録を更新しているときに個々の請求項の方法のサポートを指示している場合に限り、ＵＥは一定の基準が満たされるまでリクエストを繰り返し送信することができないとの指示を提供する。
【００５０】
さらに別の実施形態例では、ユーザ端末（ＵＥ）は、第１の地上波公共移動通信ネットワーク（ＰＬＭＮ）に登録し、リクエストを生成し、第１のＰＬＭＮがリクエストに対してサービスを提供することができないとの指示を処理し、ＵＥが第１のＰＬＭＮに対してリクエストを繰り返し送信することができないとの指示を処理する制御回路と、制御回路に結合され、第１のＰＬＭＮからの指示を受信する受信回路と、制御回路に結合され、第１のＰＬＭＮに対してリクエストを送信する送信回路とを備える。制御回路は、第１のＰＬＭＮと等価な少なくとも１つの他のＰＬＭＮの指示を処理し、その少なくとも１つの他の等価ＰＬＭＮによってサービスが提供されるか否かの指示を処理することができ、さらに受信回路は、その少なくとも１つの他の等価ＰＬＭＮの指示、およびＵＥがその少なくとも１つの他の等価ＰＬＭＮに対してリクエストを繰り返し送信することができるか否かの指示を受信することができる。ＵＥが第１のＰＬＭＮに対してリクエストを繰り返し送信することができないとの指示は、さらにＵＥがその少なくとも１つの他の等価ＰＬＭＮに対してリクエストを繰り返し送信することができないということを示すことができる。ＵＥが第１のＰＬＭＮに対してリクエストを繰り返し送信することができないとの指示は、ＵＥが任意の他のＰＬＭＮに対してリクエストを繰り返し送信することができるということを示すことができる。ＵＥがその少なくとも１つの他の等価ＰＬＭＮに対してリクエストを繰り返し送信することができないとの指示は、リクエストに基づいて制御回路で処理されることができる。ＵＥがその少なくとも１つの他の等価ＰＬＭＮに対してリクエストを繰り返し送信することができないとの指示は、ＵＥの第１のＰＬＭＮへの登録に基づいて制御回路で処理されることができる。制御回路は、ＵＥが第１のＰＬＭＮに対してリクエストを繰り返し送信することができる期間をその前に決定することができ、決定された期間の経過後に送信回路にリクエストを再送信させることができる。
【００５１】
さらに別の実施形態例では、方法は、モバイルネットワークによって、ユーザ端末（ＵＥ）からのリクエストの指示を受信するステップと、モバイルネットワークによって、リクエストに応答して、リクエスト拒否メッセージを送信するステップと、モバイルネットワークによって、ＵＥが少なくとも２つのモバイルネットワークを含むセットに属さない異なるモバイルネットワークに入るまでリクエストを繰り返し送信することができないとの指示を送信するステップとを含む。少なくとも２つのモバイルネットワークを含むセットは、モバイルネットワークによって、信号伝達でＵＥに指示される。少なくとも２つのモバイルネットワークは、３ＧＰＰ標準規格に従うネットワークであり、少なくとも２つのモバイルネットワークを含むセットは、等価ＰＬＭＮのリストである。あるいは、モバイルネットワークは、ＵＥは少なくとも１つの指定セルセットに属するセルに入るまでリクエストを繰り返し送信することができないとの指示を送信することができる。少なくとも１つの指定セルセットは、モバイルネットワークによって、ＵＥがリクエストを送信したモバイルネットワークとは異なるモバイルネットワークに属する任意のセルを含むように指示されてよい。少なくとも１つの指定セルセットは、モバイルネットワークによって、少なくとも２つのモバイルネットワークのセットの指定サブセットに属する任意のセルを含むように指示されてよい。少なくとも２つのモバイルネットワークは、３ＧＰＰ標準規格に従うネットワークであり、少なくとも１つの指定セルセットは、モバイルネットワークによって、ＵＥがリクエストを送信したセルとは異なる任意のセル、またはＵＥがリクエストを送信したセルのルーティングエリアとは異なるルーティングエリアに属する任意のセル、またはＵＥがリクエストを送信したセルのロケーションエリアとは異なるロケーションエリアに属する任意のセル、またはＵＥがリクエストを送信したセルのトラッキングエリアとは異なるトラッキングエリアに属する任意のセル、またはＵＥがリクエストを送信したセルの無線アクセス技術（ＧＥＲＡＮ、ＵＴＲＡＮ、もしくはＥ−ＵＴＲＡＮ）とは異なる無線アクセス技術に属する任意のセル、または無線アクセス技術ＧＥＲＡＮもしくはＵＴＲＡＮに属する任意のセル、または無線アクセス技術Ｅ−ＵＴＲＡＮに属する任意のセルを含むように指示されてよい。少なくとも２つのモバイルネットワークは、３ＧＰＰ標準規格に従うネットワークであり、少なくとも１つの指定セルセットは、少なくとも２つのモバイルネットワークのうちの１つに属するセルに限定されるように指示されてよい。
【００５２】
さらに別の実施形態例では、第１の地上波公共移動通信ネットワーク（ＰＬＭＮ）のネットワークノードは、第１のＰＬＭＮによってユーザ端末（ＵＥ）に提供されるサービスに対するＵＥからのリクエストを受信し、リクエストが受諾されるかまたは拒否されるかを指示するレスポンスをＵＥに送信する処理回路を備え、そのレスポンスは、ＵＥが第１のＰＬＭＮと等価なＰＬＭＮである第２のＰＬＭＮに接続する場合にリクエストを繰り返し送信することができるか否かをＵＥに指示する。レスポンスは、要求されたサービスに関して、全ての等価ＰＬＭＮにそのレスポンスが適用されることをＵＥに指示するためのスコープインジケータを含む。処理回路はさらに、等価ＰＬＭＮからのＵＥが希望する任意のサービスに関して等価ＰＬＭＮにリクエストを行うことができるか否かをＵＥに指示するために、デフォルトスコープインジケータをＵＥに送信することができる。レスポンスは、レスポンスが適用される第１の等価ＰＬＭＮセットをＵＥに指示するとともに、レスポンスが適用されない第２の等価ＰＬＭＮセットをＵＥに指示するためのスコープインジケータマトリクスを含む。処理回路は、等価ＰＬＭＮからのＵＥが希望する任意のサービスに関して第１の等価ＰＬＭＮセットにリクエストを行うことができるか否か、および等価ＰＬＭＮからのＵＥが希望する任意のサービスに関して第２の等価ＰＬＭＮセットにリクエストを行うことができないか否かをＵＥに指示するために、デフォルトスコープインジケータマトリクスをＵＥに送信することができる。レスポンスは、リクエスト受諾メッセージ、もしくはリクエスト拒否メッセージの形でＵＥに送信される。等価ＰＬＭＮは、ＰＬＭＮ選択、セル選択、セル再選択、もしくはハンドオーバーのうちの少なくとも１つの目的、もしくはこれらを組み合わせた目的に関して、第１のＰＬＭＮと等価であり得る。
【００５３】
さらに別の実施形態例では、第１の地上波公共移動通信ネットワーク（ＰＬＭＮ）に接続するユーザ端末は、第１のＰＬＭＮによってＵＥに提供されるサービスに対するリクエストを第１のＰＬＭＮに送信し、リクエストが受諾されるかまたは拒否されるかを指示するレスポンスを第１のＰＬＭＮから受信する処理回路を備え、そのレスポンスは、ＵＥが第１のＰＬＭＮと等価なＰＬＭＮである第２のＰＬＭＮに接続する場合にリクエストを繰り返し送信することができるか否かをＵＥに指示する。レスポンスは、要求されたサービスに関して、全ての等価ＰＬＭＮにそのレスポンスが適用されることをＵＥに指示するためのスコープインジケータを含む。処理回路はさらに、等価ＰＬＭＮからのＵＥが希望する任意のサービスに関して等価ＰＬＭＮにリクエストを行うことができるか否かをＵＥに指示するために、デフォルトスコープインジケータを第１のＰＬＭＮから受信することができる。レスポンスは、レスポンスが適用される第１の等価ＰＬＭＮセットをＵＥに指示するとともに、レスポンスが適用されない第２の等価ＰＬＭＮセットをＵＥに指示するためのスコープインジケータマトリクスを含む。処理回路はさらに、等価ＰＬＭＮからのＵＥが希望する任意のサービスに関して第１の等価ＰＬＭＮセットにリクエストを行うことができるか否か、および等価ＰＬＭＮからのＵＥが希望する任意のサービスに関して第２の等価ＰＬＭＮセットにリクエストを行うことができないか否かをＵＥに指示するために、デフォルトスコープインジケータマトリクスを第１のＰＬＭＮから受信することができる。レスポンスは、リクエスト受諾メッセージ、もしくはリクエスト拒否メッセージの形で第１のＰＬＭＮから受信される。等価ＰＬＭＮは、ＰＬＭＮ選択、セル選択、セル再選択、もしくはハンドオーバーのうちの少なくとも１つの目的、もしくはこれらを組み合わせた目的に関して、第１のＰＬＭＮと等価であり得る。
【００５４】
さらに別の実施形態例では、製品は、命令が記憶された非一時的な記憶媒体を備え、命令が実行された場合に、結果として、第１の地上波公共移動通信ネットワーク（ＰＬＭＮ）によってユーザ端末（ＵＥ）に提供されるサービスに対するＵＥからのリクエストを受信すること、およびリクエストが受諾されるかまたは拒否されるかを指示するレスポンスをＵＥに送信することをもたらし、そのレスポンスは、ＵＥが第１のＰＬＭＮと等価なＰＬＭＮである第２のＰＬＭＮに接続する場合にリクエストを繰り返し送信することができるか否かをＵＥに指示する。レスポンスは、要求されたサービスに関して、全ての等価ＰＬＭＮにそのレスポンスが適用されることをＵＥに指示するためのスコープインジケータを含む。命令は、実行された場合に、さらに結果として、等価ＰＬＭＮからのＵＥが希望する任意のサービスに関して等価ＰＬＭＮにリクエストを行うことができるか否かをＵＥに指示することをもたらす。レスポンスは、レスポンスが適用される第１の等価ＰＬＭＮセットをＵＥに指示するとともに、レスポンスが適用されない第２の等価ＰＬＭＮセットをＵＥに指示するためのスコープインジケータマトリクスを含む。命令は、実行された場合に、さらに結果として、等価ＰＬＭＮからのＵＥが希望する任意のサービスに関して第１の等価ＰＬＭＮセットにリクエストを行うことができるか否か、および等価ＰＬＭＮからのＵＥが希望する任意のサービスに関して第２の等価ＰＬＭＮセットにリクエストを行うことができないか否かをＵＥに指示するために、デフォルトスコープインジケータマトリクスをＵＥに送信することをもたらす。レスポンスは、リクエスト受諾メッセージ、もしくはリクエスト拒否メッセージの形でＵＥに送信される。等価ＰＬＭＮは、ＰＬＭＮ選択、セル選択、セル再選択、もしくはハンドオーバーのうちの少なくとも１つの目的、もしくはこれらを組み合わせた目的に関して、第１のＰＬＭＮと等価であり得る。
【００５５】
さらに別の実施形態例では、製品は、命令が記憶された非一時的な記憶媒体を備え、命令が実行された場合に、結果として、第１の地上波公共移動通信ネットワーク（ＰＬＭＮ）によってユーザ端末（ＵＥ）に提供されるサービスに対するリクエストを第１のＰＬＭＮに送信すること、およびリクエストが受諾されるかまたは拒否されるかを指示するレスポンスを第１のＰＬＭＮから受信することをもたらし、そのレスポンスは、ＵＥが第１のＰＬＭＮと等価なＰＬＭＮである第２のＰＬＭＮに接続する場合にリクエストを繰り返し送信することができるか否かをＵＥに指示する。レスポンスは、要求されたサービスに関して、全ての等価ＰＬＭＮにそのレスポンスが適用されることをＵＥに指示するためのスコープインジケータを含む。命令は、実行された場合に、さらに結果として、等価ＰＬＭＮからのＵＥが希望する任意のサービスに関して等価ＰＬＭＮにリクエストを行うことができるか否かをＵＥに指示するために、デフォルトスコープインジケータを第１のＰＬＭＮから受信することをもたらす。レスポンスは、レスポンスが適用される第１の等価ＰＬＭＮセットをＵＥに指示するとともに、レスポンスが適用されない第２の等価ＰＬＭＮセットをＵＥに指示するためのスコープインジケータマトリクスを含む。命令は、実行された場合に、さらに結果として、等価ＰＬＭＮからのＵＥが希望する任意のサービスに関して第１の等価ＰＬＭＮセットにリクエストを行うことができるか否か、および等価ＰＬＭＮからのＵＥが希望する任意のサービスに関して第２の等価ＰＬＭＮセットにリクエストを行うことができないか否かをＵＥに指示するために、デフォルトスコープインジケータマトリクスを第１のＰＬＭＮから受信することをもたらす。レスポンスは、リクエスト受諾メッセージ、もしくはリクエスト拒否メッセージの形で第１のＰＬＭＮから受信される。等価ＰＬＭＮは、ＰＬＭＮ選択、セル選択、セル再選択、もしくはハンドオーバーのうちの少なくとも１つの目的、もしくはこれらを組み合わせた目的に関して、第１のＰＬＭＮと等価であり得る。
【００５６】
請求される主題は、一定の特殊性に関して説明されているが、説明されている要素は、請求される主題の精神および／または範囲から逸脱せずに当業者によって変更されてよいことを理解されたい。モバイルデバイスがモバイルネットワークに対してリクエストを繰り返し送信するのを防ぐことに関する主題、およびそれに付随するユーティリティの多くは、上記説明によって理解されると考えられ、また説明されているコンポーネントの形態、構成、および／または配置において、請求される主題の範囲および／または精神から逸脱せずに、またはマテリアルアドバンテージの全てを犠牲にすることなく（上述の形態は例示的な実施形態に過ぎない）、および／または実質的な変更を加えずに、種々の変更が行われてよいことは明らかであろう。請求項は、このような変更を網羅するおよび／または含むものとする。
【図１】
0006449453.tif 000009
【図２】
0006449453.tif 000010
【図３】
0006449453.tif 000011
【図４】
0006449453.tif 000012
【図５】
0006449453.tif 000013
【図６】
0006449453.tif 000014
【図７】
0006449453.tif 000015
【図８】
0006449453.tif 000016
【図９】
0006449453.tif 000017